【手続補正書】
【提出日】平成28年1月21日(2016.1.21)
【手続補正１】
【補正対象書類名】特許請求の範囲
【補正対象項目名】全文
【補正方法】変更
【補正の内容】
【特許請求の範囲】
【請求項１】
ブラシレスモータと、
前記ブラシレスモータを収容するモータハウジングと、
前記モータハウジングの後側に配置されるグリップハウジングと、
前記モータハウジングの前側に配置されるギヤハウジングと、
先端工具を保持可能なスピンドルと、
前記グリップハウジングの下部に接続される電源コードと、
前記電源コードから交流で入力された電力を整流するためのダイオードブリッジと、
整流された電力を平滑化するためのコンデンサと、
マイコンが搭載される制御回路基板と、を有し、
前記スピンドルが後方に移動することによって、前記ブラシレスモータの回転が前記スピンドルに伝達されるスクリュードライバであって、
前記コンデンサが、前記グリップハウジング内に配置されてなることを特徴とするスクリュードライバ。
【請求項２】
前記グリップハウジングには、グリップ部が形成され、前記グリップ部内にはトリガスイッチが収容されており、
前記コンデンサは、前記トリガスイッチの下方に配置されていることを特徴とする請求項１に記載のスクリュードライバ。
【請求項３】
前記グリップハウジングの内部に前記制御回路基板が配置されていることを特徴とする請求項１又は２に記載のスクリュードライバ。
【請求項４】
前記ブラシレスモータは、ステータと、前記ステータの後部に固定されるセンサ回路基板と、を有し、前記センサ回路基板の後面には、複数のスイッチング素子が設けられていることを特徴とする請求項１乃至３の何れかに記載のスクリュードライバ。
【請求項５】
前記グリップハウジングには、前記ブラシレスモータの正逆を切り替えるためのレバースイッチが配置されていることを特徴とする請求項１乃至４の何れかに記載のスクリュードライバ。
【請求項６】
前記グリップハウジングの内部には前記ダイオードブリッジが配置されていることを特徴とする請求項１乃至５の何れかに記載のスクリュードライバ。
【請求項７】
ブラシレスモータと、
前記ブラシレスモータを収容するモータハウジングと、
前記モータハウジングの後側に配置されるグリップハウジングと、
前記モータハウジングの前側に配置されるギヤハウジングと、
先端工具を保持可能なスピンドルと、
前記グリップハウジングの下部に接続される電源コードと、
前記電源コードから交流で入力された電力を整流するためのダイオードブリッジと、
整流された電力を平滑化するためのコンデンサと、
マイコンが搭載される制御回路基板と、を有し、
前記スピンドルが後方に移動することによって、前記ブラシレスモータの回転が前記スピンドルに伝達されるスクリュードライバであって、
前記ダイオードブリッジが、前記グリップハウジング内に配置されてなることを特徴とするスクリュードライバ。
【請求項８】
前記ダイオードブリッジは、整流回路基板に搭載されており、
前記整流回路基板は、前記グリップハウジング内で横向きに配置されていることを特徴とする請求項７に記載のスクリュードライバ。
【請求項９】
前記制御回路基板は、前記グリップハウジング内に収容されていることを特徴とする請求項７又は８に記載のスクリュードライバ。
【請求項１０】
前記ブラシレスモータは、ステータと、前記ステータの後部に固定されるセンサ回路基板と、を有し、前記センサ回路基板の後面には、複数のスイッチング素子が設けられていることを特徴とする請求項７乃至９の何れかに記載のスクリュードライバ。
【手続補正２】
【補正対象書類名】明細書
【補正対象項目名】発明の名称
【補正方法】変更
【補正の内容】
【発明の名称】スクリュードライバ
【手続補正３】
【補正対象書類名】明細書
【補正対象項目名】０００１
【補正方法】変更
【補正の内容】
【０００１】
本発明は、ネジ締め作業に用いられるスクリュードライバに関する。
【手続補正４】
【補正対象書類名】明細書
【補正対象項目名】０００５
【補正方法】変更
【補正の内容】
【０００５】
そこで、本発明は、好適な耐久性が得られてコンパクト化も達成できるスクリュードライバを提供することを目的としたものである。
【手続補正５】
【補正対象書類名】明細書
【補正対象項目名】０００６
【補正方法】変更
【補正の内容】
【０００６】
上記目的を達成するために、請求項１に記載の発明は、ブラシレスモータと、ブラシレスモータを収容するモータハウジングと、モータハウジングの後側に配置されるグリップハウジングと、モータハウジングの前側に配置されるギヤハウジングと、先端工具を保持可能なスピンドルと、グリップハウジングの下部に接続される電源コードと、電源コードから交流で入力された電力を整流するためのダイオードブリッジと、整流された電力を平滑化するためのコンデンサと、マイコンが搭載される制御回路基板と、を有し、スピンドルが後方に移動することによって、ブラシレスモータの回転がスピンドルに伝達されるスクリュードライバであって、コンデンサが、グリップハウジング内に配置されてなることを特徴とする。
請求項２に記載の発明は、請求項１の構成において、グリップハウジングには、グリップ部が形成され、グリップ部内にはトリガスイッチが収容されており、コンデンサは、トリガスイッチの下方に配置されていることを特徴とする。
請求項３に記載の発明は、請求項１又は２の構成において、グリップハウジングの内部に制御回路基板が配置されていることを特徴とする。
請求項４に記載の発明は、請求項１乃至３の何れかの構成において、ブラシレスモータは、ステータと、ステータの後部に固定されるセンサ回路基板と、を有し、センサ回路基板の後面には、複数のスイッチング素子が設けられていることを特徴とする。
請求項５に記載の発明は、請求項１乃至４の何れかの構成において、グリップハウジングには、ブラシレスモータの正逆を切り替えるためのレバースイッチが配置されていることを特徴とする。
請求項６に記載の発明は、請求項１乃至５の何れかの構成において、グリップハウジングの内部にはダイオードブリッジが配置されていることを特徴とする。
上記目的を達成するために、請求項７に記載の発明は、ブラシレスモータと、ブラシレスモータを収容するモータハウジングと、モータハウジングの後側に配置されるグリップハウジングと、モータハウジングの前側に配置されるギヤハウジングと、先端工具を保持可能なスピンドルと、グリップハウジングの下部に接続される電源コードと、電源コードから交流で入力された電力を整流するためのダイオードブリッジと、整流された電力を平滑化するためのコンデンサと、マイコンが搭載される制御回路基板と、を有し、スピンドルが後方に移動することによって、ブラシレスモータのが前記スピンドルに伝達されるスクリュードライバであって、ダイオードブリッジが、グリップハウジング内に配置されてなることを特徴とする。
請求項８に記載の発明は、請求項７の構成において、ダイオードブリッジは、整流回路基板に搭載されており、整流回路基板は、グリップハウジング内で横向きに配置されていることを特徴とする。
請求項９に記載の発明は、請求項７又は８の構成において、制御回路基板は、グリップハウジング内に収容されていることを特徴とする。
請求項１０に記載の発明は、請求項７乃至９の何れかの構成において、ブラシレスモータは、ステータと、ステータの後部に固定されるセンサ回路基板と、を有し、センサ回路基板の後面には、複数のスイッチング素子が設けられていることを特徴とする。